【手続補正書】
【提出日】平成29年11月21日(2017.11.21)
【手続補正１】
【補正対象書類名】特許請求の範囲
【補正対象項目名】全文
【補正方法】変更
【補正の内容】
【特許請求の範囲】
【請求項１】
ディスプレイと、
前記ディスプレイに接続される送信機と、
前記送信機に接続される受信機と、
ノードにおいて前記受信機に接続され、前記送信機から前記受信機に信号を送信するように構成されるチャンネルと、
前記送信機と前記受信機との間の前記ノードにおいて前記チャンネルに接続されるトレースと、
を備え、
前記トレースは、
複数の第１の部分と、
前記第１の部分に交互に直列に接続され、前記第１の部分の幅とは異なる幅を有する複数の第２の部分と、
を備え、
前記トレースは、所定の周波数で、前記信号の反射を増幅するように構成されることを特徴とする表示装置。
【請求項２】
前記複数の第１の部分のうちの一つの第１の部分の幅は、前記一つの第１の部分の第１の端部から前記一つの第１の部分の第２の端部まで一定であり、
前記複数の第２の部分のうちの一つの第２の部分の幅は、前記一つの第２の部分の第１の端部から前記一つの第２の部分の第２の端部まで一定であることを特徴とする請求項１に記載の表示装置。
【請求項３】
前記複数の第１の部分のうちの一つの第１の部分の幅は、前記複数の第２の部分のうちの一つの第２の部分の幅よりも小さく、
前記一つの第１の部分の幅は、前記一つの第１の部分の第１の端部から前記一つの第１の部分の第２の端部に向かって増加し、前記一つの第２の部分の幅は、前記一つの第２の部分の第１の端部から前記一つの第２の部分の第２の端部に向かって増加することを特徴とする請求項１に記載の表示装置。
【請求項４】
前記複数の第１の部分のうちの一つの第１の部分の幅は、前記複数の第２の部分のうちの一つの第２の部分の幅よりも大きく、
前記一つの第１の部分の幅は、前記一つの第１の部分の第１の端部から前記一つの第１の部分の第２の端部に向かって減少し、前記一つの第２の部分の幅は、前記一つの第２の部分の第１の端部から前記一つの第２の部分の第２の端部に向かって減少することを特徴とする請求項１に記載の表示装置。
【請求項５】
前記トレースは、複数の周期的な形状を含み、
前記複数の周期的な形状の各々は、前記複数の第１の部分のうちの一つの第１の部分、及び、前記一つの第１の部分と隣り合う前記複数の第２の部分のうちの一つの第２の部分を含み、前記複数の周期的な形状の各々の長さが互いに等しいことを特徴とする請求項１に記載の表示装置。
【請求項６】
送信機に接続される第１の端末と、
受信機に接続される第２の端末と、
ノードにおいて前記受信機に接続され、前記送信機から前記受信機に信号を送信するように構成されるチャンネルと、
前記第１の端末と前記第２の端末との間の前記ノードにおいて前記チャンネルに接続されるトレースと、
を備え、
前記トレースは、
複数の第１の部分と、
前記第１の部分に交互に直列に接続され、前記第１の部分の幅とは異なる幅を有する複数の第２の部分と、を備え、
前記トレースは、所定の周波数で、前記信号の反射を増幅するように構成されることを特徴とする回路基板。
【請求項７】
前記複数の第１の部分のうちの一つの第１の部分の幅は、前記一つの第１の部分の第１の端部から前記一つの第１の部分の第２の端部まで一定であり、
前記複数の第２の部分のうちの一つの第２の部分の幅は、前記一つの第２の部分の第１の端部から前記一つの第２の部分の第２の端部まで一定であることを特徴とする請求項６に記載の回路基板。
【請求項８】
前記複数の第１の部分のうちの一つの第１の部分の幅は、前記複数の第２の部分のうちの一つの第２の部分の幅よりも小さく、
前記一つの第１の部分の幅は、前記一つの第１の部分の第１の端部から前記一つの第１の部分の第２の端部に向かって増加し、前記一つの第２の部分の幅は、前記一つの第２の部分の第１の端部から前記一つの第２の部分の第２の端部に向かって増加することを特徴とする請求項６に記載の回路基板。
【請求項９】
前記複数の第１の部分のうちの一つの第１の部分の幅は、前記複数の第２の部分のうちの一つの第２の部分の幅よりも大きく、
前記一つの第１の部分の幅は、前記一つの第１の部分の第１の端部から前記一つの第１の部分の第２の端部に向かって減少し、前記一つの第２の部分の幅は、前記一つの第２の部分の第１の端部から前記一つの第２の部分の第２の端部に向かって減少することを特徴とする請求項６に記載の回路基板。
【請求項１０】
前記トレースは、複数の周期的な形状を含み、
前記複数の周期的な形状の各々は、前記複数の第１の部分のうちの一つの第１の部分、及び、前記一つの第１の部分と隣り合う前記複数の第２の部分のうちの一つの第２の部分を含み、前記複数の周期的な形状の各々の長さが互いに等しいことを特徴とする請求項６に記載の回路基板。
【請求項１１】
受信機の入力に接続されるトレースであって、
前記トレースは、
複数の第１の部分と、
前記第１の部分に交互に直列に接続され、前記第１の部分の幅とは異なる幅を有する複数の第２の部分と、
を備え、
前記トレースは、前記受信機の前記入力においてチャンネルに接続され、前記チャンネルは、前記受信機の前記入力に信号を送信するように構成され、
前記トレースは、所定の周波数で、前記信号の反射を増幅するように構成される、
受信機の入力に接続されることを特徴とするトレース。
【請求項１２】
前記複数の第１の部分のうちの一つの第１の部分の幅は、前記一つの第１の部分の第１の端部から前記一つの第１の部分の第２の端部まで一定であり、
前記複数の第２の部分のうちの一つの第２の部分の幅は、前記一つの第２の部分の第１の端部から前記一つの第２の部分の第２の端部まで一定であることを特徴とする請求項１１に記載のトレース。
【請求項１３】
前記複数の第１の部分及び前記複数の第２の部分の各々は、四角形の形状を有することを特徴とする請求項１２に記載のトレース。
【請求項１４】
前記複数の第１の部分のうちの一つの第１の部分の幅は、前記複数の第２の部分のうちの一つの第２の部分の幅よりも小さく、
前記一つの第１の部分の幅は、前記一つの第１の部分の第１の端部から前記一つの第１の部分の第２の端部に向かって増加し、前記一つの第２の部分の幅は、前記一つの第２の部分の第１の端部から前記一つの第２の部分の第２の端部に向かって増加することを特徴とする請求項１１に記載のトレース。
【請求項１５】
前記複数の第１の部分及び前記複数の第２の部分の各々は、台形の形状を有することを特徴とする請求項１４に記載のトレース。
【請求項１６】
前記複数の第１の部分のうちの一つの第１の部分の幅は、前記複数の第２の部分のうちの一つの第２の部分の幅よりも大きく、
前記一つの第１の部分の幅は、前記一つの第１の部分の第１の端部から前記一つの第１の部分の第２の端部に向かって減少し、前記一つの第２の部分の幅は、前記一つの第２の部分の第１の端部から前記一つの第２の部分の第２の端部に向かって減少することを特徴とする請求項１１に記載のトレース。
【請求項１７】
前記第１の部分及び第２の部分の各々は、台形の形状を有することを特徴とする請求項１６に記載のトレース。
【請求項１８】
複数の周期的な形状をさらに含み、
前記複数の周期的な形状の各々は、前記複数の第１の部分のうちの一つの第１の部分、及び、前記一つの第１の部分と隣り合う前記複数の第２の部分のうちの一つの第２の部分を含み、前記複数の周期的な形状の各々の長さが互いに等しいことを特徴とする請求項１１に記載のトレース。
【請求項１９】
前記複数の第１の部分の各々は四角形の形状を有し、前記複数の第２の部分の各々は四角形の形状を有し、前記一つの第１の部分の幅は前記一つの第２の部分の幅よりも小さいことを特徴とする請求項１８に記載のトレース。
【請求項２０】
前記周期的な形状の各々は、台形の形状を有することを特徴とする請求項１８に記載のトレース。